(57)【要約】【課題】シンプルな構成で扱いやすく、初心者の安全を図れることは固より、初心者にスキー技術を迅速に体得させるのに好適なスキー指導補助具を提供することを課題とする。【解決手段】指導時に生徒に相対して指導者が手にするガイド棒１と、ガイド棒１の先端部に設置される支承具２とから成り、支承具２は、スキー板又はスノーボードの先端部を押え止める押止支持手段を一対具備する。押止支持手段は、スキー板又はスノーボードの先端部を挿通する挿通口４と、端部が挿通口４内に臨んで上下動する固定ボルト５又はスプリングによって下方に付勢される固定杆６から成る。【選択図】図２
2017192544.tif 000002
【特許請求の範囲】
【請求項１】
指導時に生徒に相対して指導者が手にするガイド棒と、前記ガイド棒の先端部に設置される支承具とから成り、前記支承具は、スキー板又はスノーボードの先端部を押え止める押止支持手段を具備していることを特徴とするスキー又はスノーボードの滑走指導補助具。
【請求項２】
前記押止支持手段は、前記スキー板又はスノーボードの先端部を挿通する挿通口と、端部が前記挿通口内に臨んで上下動する固定ボルト又はスプリングによって下方に付勢される固定杆である、請求項１に記載の滑走指導補助具。
【請求項３】
前記押止支持手段は、前記スキー板又はスノーボードの先端部を受け入れる凹陥部と、前記凹陥部の端部に枢着されて上方から前記凹陥部内の前記スキー板又はスノーボードの先端部を押え止める押止板とから成る、請求項１に記載の滑走指導補助具。
【請求項４】
前記支承具は、前記押止支持手段を備えた一対の支持アームをＶ字型に配置したものである、請求項１乃至３のいずれかに記載の滑走指導補助具。
【請求項５】
Ｖ字型を呈する前記一対の支持アームのなす角度は変更可能である、請求項４に記載の滑走指導補助具。
【請求項６】
前記挿通口の内壁面は、前記ガイド棒設置側が狭く、前記スキー板又はスノーボードの挿入側が広くなるように形成されている、請求項２、４又は５のいずれかに記載の滑走指導補助具。
【請求項７】
前記ガイド棒は伸縮可能である、請求項１乃至６のいずれかに記載の滑走指導補助具。
【請求項８】
前記支承具は前記ガイド棒に着脱自在にされる、請求項１乃至７のいずれかに記載の滑走指導補助具。
【発明の詳細な説明】
【技術分野】
【０００１】
本発明は、スキー又はスノーボードの滑走指導補助具に関するものであり、より詳細には、初心者である生徒にスキーやスノーボードの滑走指導を行う者が、その指導に際して用いるスキー又はスノーボードの滑走指導補助具に関するものである。
【背景技術】
【０００２】
スキーやスノボーの初心者（以下、単に「初心者」とする）に滑走指導する際に用いる指導補助具が種々提案されている。その多くは、初心者が身に付けるベルトに連結されたヒモを、指導者が後方から操作するタイプのものである（特開２０００−１２６３４７号公報、実開平７−３７２５７号公報等）。
【０００３】
これらの後方からヒモ操作するタイプの指導補助具の場合は、滑走スピードを抑制し、初心者の転倒を防止してその安全を図ることができるものの、スキー技術を急速に習得させるという面での効果は余り期待できない。即ち、スキーの場合は、ボーゲン（ハの字型）から始まって、次第にパラレルに移行していくものであるが、上記補助具による後方からのヒモ操作によってその要領を体得させることは難しく、また、スキーは、若干前傾姿勢となって体重を乗せて滑走するものであるところ、初心者は腰が引けがちで尻餅をつきやすい傾向にあるが、その点を是正することも難しい。
【０００４】
また、一対のスキー板の先端に着脱可能に取付ける一対のマウントを両端部に接合した管状弾性体と、管状弾性体のマウントとの接合部に嵌入したスリーブと、前記マウントの取付け部に設けた止めねじ機構とからなるスキー補助具が提案されている（実開平５−４１５７４号公報）。この提案に係るスキー補助具の場合は、脚を開く動作だけで、適応したプルークのスキー姿勢が容易にできるとされ、また、スキー板に取付けたスキー補助具に指導者がストックのバスケットをかけて学習者を牽引したり方向を変えてやったりすることができるとされている。
【０００５】
しかし、この提案に係るスキー補助具の場合は、基本的にはスキーヤー個人が自分でスキー姿勢を体得するために用いるものであって、初心者には不向きであるだけでなく危険でもある。即ち、初心者がこのスキー補助具を用いた場合、スキー技術を習得できないだけでなく、暴走して怪我を負う危険があり、また、先端側の自由が利かなくなるために転倒して怪我を負ったりする危険がある。
【０００６】
また、スキー指導者は、このスキー補助具をストックのバスケットをかけて、初心者を牽引したり方向を変えてやったりするために利用できるとされているが、その場合の指導は、その図５に示されるように初心者に対して背を向けて行うものであるため、初心者に安心感を抱かせるものではない。更に、一対のマウントを弾性体で連結した構成であって、滑走中に弾性体が伸びるため、指導に際して、初心者の動作を的確にコントロールすることができないという欠点がある。
【先行技術文献】
【特許文献】
【０００７】
【特許文献１】特開２０００−１２６３４７号公報
【特許文献２】実開平７−３７２５７号公報
【特許文献３】実開平５−４１５７４号公報
【発明の概要】
【発明が解決しようとする課題】
【０００８】
特にスキーやスノーボードの場合、滑走技術を迅速に体得する上で一番障害となるのは恐怖心であると考えられるが、上述したように、従来提案されている初心者のためのスキー指導補助具の場合は、初心者の安全は図れるものの、初心者に安心感を抱かせつつ、スキー技術を迅速に体得させる効果を期待し得るものではない。
【０００９】
そこで本発明は、シンプルな構成で扱いやすく、初心者の安全を図れることは固より、初心者に安心感を抱かせつつスキー技術を迅速に体得させるのに好適な、スキー又はスノーボードの滑走指導補助具を提供することを課題とする。
【課題を解決するための手段】
【００１０】
上記課題を解決するための請求項１に記載の発明は、指導時に生徒に相対して指導者が手にするガイド棒と、前記ガイド棒の先端部に設置される支承具とから成り、前記支承具は、スキー板又はスノーボードの先端部を押え止める押止支持手段を具備していることを特徴とするスキー又はスノーボードの滑走指導補助具である。
【００１１】
一実施形態における前記押止支持手段は、前記スキー板又はスノーボードの先端部を挿通する挿通口と、端部が前記挿通口内に臨んで上下動する固定ボルト又はスプリングによって下方に付勢される固定杆とから成り、他の実施形態における前記押止支持手段は、前記スキー板又はスノーボードの先端部を受け入れる凹陥部と、前記凹陥部の端部に枢着されて上方から前記凹陥部内の前記スキー板又はスノーボードの先端部を押え止める押止板とから成る。
【００１２】
一実施形態においては、前記支承具は、前記押止支持手段を備えた一対の支持アームをＶ字型に配置したものとされ、Ｖ字型を呈する前記一対の支持アームのなす角度は変更可能にされる。
【００１３】
一実施形態においては、前記挿通口の内壁面は、前記ガイド棒設置側が狭く、前記スキー板又はスノーボードの挿入側が広くなるように形成される。また、一実施形態においては、前記ガイド棒は伸縮可能にされ、前記支承具は前記ガイド棒に着脱自在にされる。
【発明の効果】
【００１４】
本発明に係るスキー又はスノーボードの滑走指導補助具は、上記のとおり、ガイド棒と、前記ガイド棒の先端部に設置される支承具とから成り、前記支承具は、スキー板又はスノーボードの先端部を押え止める押止支持手段を一対具備していることを特徴とするものであり、シンプルな構成で扱いやすく、ガイド棒を握持した指導者は、初心者の下流側において初心者に相対し、スキー板又はスノーボードの先端部を支承具で支持してガイド棒を操作することで、初心者の動作を制御しつつ指導することができるので、初心者の安全を図れることは固より、初心者に安心感を抱かせつつ指導することができるので、結果的に、スキー技術を短時間のうちに体得させることが可能となるという効果がある。
【図面の簡単な説明】
【００１５】
【図１】本発明に係るスキー滑走指導補助具の使用方法を示す斜視図である。
【図２】本発明に係るスキー指導補助具の構成例を示す平面図（ボーゲン指導時の状態）である。
【図３】本発明に係るスキー指導補助具の構成例を示す平面図（パラレル指導時の状態）である。
【図４】本発明に係るスキー指導補助具の支承具の構成例を示す正面図である。
【図５】本発明に係るスキー指導補助具の支承具の他の構成例を示す正面図である。
【図６】本発明に係るスキー指導補助具の支承具の更に他の構成例を示す部分断面平面図である。
【図７】図６に示す支承具の部分断面正面図である。
【図８】本発明に係るスキー指導補助具における支承具とガイド棒の接続方法の例を示す平面図である。
【発明を実施するための形態】
【００１６】
以下に、本発明を実施するための形態について、添付図面に依拠して説明する。本発明に係るスキー又はスノーボードの滑走指導補助具は、指導時に初心者Ｂに相対して指導者Ａが手にするガイド棒１と、ガイド棒１の先端部に設置される支承具２とから成り、支承具２は、スキー板又はスノーボードの先端部を押え止める押止支持手段を備えていることを特徴とする。
【００１７】
図２乃至図８は、本発明に係る滑走指導補助具のうち、スキーの滑走指導補助具の構成を示すものであり、その場合の支承具２は、一対のスキー板１１のトップ１２を確固と保持する一対の支持アーム３、３により構成され、各支持アーム３、３はそれぞれ、スキー板１１のトップ１２を押え止めて支持するための押止支持手段を備える。一対の支持アーム３、３は、別体に成形される場合（図２〜５参照）と一体に成形される場合（図６〜８参照）とがある。
【００１８】
一対の支持アーム３、３は、別体に成形される場合には、Ｖ字型を呈するように配置され、且つ、一対の支持アーム３、３のなす角度が変更可能となるようにしてガイド棒１に取り付けられる。そのようにするために、例えば、支持アーム３、３は、その基端部が、ガイド棒１の先端に軸ボルト８で固定される（図４参照）。この構成の場合各支持アーム３、３は、軸ボルト８を緩めることで、ガイド棒１に対して回動可能となるので、軸ボルト８を緩めた状態で、一対の支持アーム３、３のなす角度を自由に変更調整することが可能となる。かくして、支持アーム３、３によって支持されるスキー板１１を、初心者のレベルに合わせて、ボーゲン状態とパラレル状態との間の任意の開度に変更設定することが可能となる。
【００１９】
また、一対の支持アーム３、３が一体成形される場合は、一対の支持アーム３、３のなす角度が決まっているので、その角度の異なる複数種の支承具２を用意し、ガイド棒１に着脱自在且つ交換自在に構成する。図８にはその一例として、ボストンバック等に一般的に用いられているバックル方式を採用した場合が示されている。その場合は、支承具２の軸２ａをガイド棒１内に挿入し、ガイド棒１側に設置された本体のリング２１を支承具２側に設置されたフック２２に掛けた後ハンドル２３を倒すことでロックされ、ハンドル２３を起こすことでロックが外れる。
【００２０】
支承具２をガイド棒１に対して着脱可能にするための構成はこれに限らず、他の種々の構成を採用し得ることは言うまでもなく、例えば、掃除機の軸と吸引部の連結部の構成を採用することができる。
【００２１】
ガイド棒１は伸縮可能であることが好ましい。そのための機構は任意で、種々の棒材において採用されている公知の手段を適宜採用することができる。
【００２２】
図２乃至図４に示される例における支持アーム３、３の押止支持手段は、その端部に形成される、スキー板１１のトップ１２を差し込むための挿通口４である。挿通口４は、水平方向一端面から他端面に貫通するもので、好ましい実施形態においては、挿通口４の内側壁４ａは、ガイド棒１設置側が狭く、トップ１２挿入側が広くなるように、即ち、トップ１２の挿入空間４ｂが、ガイド棒１側から見て次第に幅広になっていくように形成される。そのようにすることで、トップ１２の挿通口４内への挿入がスムーズとなる。
【００２３】
各支持アーム３、３の挿通口４、４には、そこに差し込まれるトップ１２を押え止めて支持する押止支持手段が配設される。図２乃至図４に示される例における押止支持手段は、挿通口４、４の上面から挿通口４、４内にねじ込まれる固定ネジ５で、通例、固定ネジ５の先端に、トップ１２に当接する滑止部材５ａが取り付けられる。また、挿通口４、４の内底面に、トップ１２の裏面を受けるゴム等の滑止シート７が定着される。
【００２４】
固定ネジ５の代わりに、操作が容易なバネ力による押圧杆６を用いることもできる。この押圧杆６は挿通口４、４の上面から挿通口４、４内に差し込まれ、その差し込まれた軸部分にスプリング６ａが巻装され、スプリング６ａの下面が、押圧杆６の先端に固設された受け板６ｂによって受け止められる（図５参照）。受け板６ｂの裏面には、滑り止め性能を持たせることが好ましい。
【００２５】
この構成の場合、平時は受け板６ｂが、スプリング６ａに付勢されて挿通口４、４の内底面に当接するため、トップ１２を挿通口４、４内に進入させることができないが、スプリング６ａの弾発力に抗して押圧杆６を引き上げることにより、トップ１２の挿入空間４ｂが確保される。かくしてトップ１２を所望位置まで進入させることが可能となり、その後押圧杆６を解放すると、押圧杆６はスプリング６ａの弾発力によって直ちに引き下げられ、その受け板６ｂがトップ１２を強く押止してその抜けを防止する。
【００２６】
図２乃至図４に示される例における挿通口４、４は四周壁を有するものであるが、四周壁のうち外側壁を除去して断面コの字状にして、トップ１２を横方向から挿入するように形成することもできる（図５参照）。図５に示す例における押止支持手段は押圧杆６であるが、これに代えて固定ネジ５を採用してもよいことは言うまでもない。
【００２７】
図６、７は支承具２の別構成例を示すもので、それは、両端部にトップ１２を受け入れる凹陥部１３を形成し、凹陥部１３の端部に、凹陥部１３に収まったトップ１２を上方から旋回して押え止める押止板１４を枢着して成るものである。凹陥部１３には、押止板１４のフリー端側を係止する係止手段が配設される。
【００２８】
図示した例における係止手段は、押止板１４のフリー端側の外側面に突設されるツメ１５を係止するストッパー１６である。ストッパー１６は、凹陥部１３の端縁上に配置され、常時スプリング１７によって付勢されて凹陥部１３側に突出する斜面１６ａを有する。この斜面１６ａはツメ１５の斜面１５ａに対応するもので、押止板１４を下方に旋回させるに伴い、ツメ１５の斜面１５ａがストッパー１６の斜面１６ａに摺接し、スプリング１７による付勢力に抗してストッパー１６を押し戻すよう作用する。
【００２９】
そして、ツメ１５がストッパー１６より下位に位置するに至ると、ストッパー１６が復帰してツメ１５をロックする（図７参照）。このロックを外すには、ストッパー１６に形成されている指掛け部１６ｂに指を掛けて、ストッパー１６を引き戻せばよい。
【００３０】
上述した例におけるスキー指導補助具の使用方法について説明するに、使用に際しては先ず、軸支ボルト８を緩め、また、固定ネジ５を緩めた状態で、あるいは、押圧杆６を引き上げた状態で、スキー板１１の各トップ１２をそれぞれ挿通口４、４内に進入させ、スキー板１１を所望の角度に開いた後固定ネジ５を締めて、あるいは、押圧杆６を解放することでトップ１２を挿通孔４において固定する。また、軸支ボルト８を締めてスキー板１１の開度を確定させる。
【００３１】
また、一対の支持アーム３、３が一体成形されている場合は、一対の支持アーム３、３のなす角度が所望のものである支承具２を選択して、ガイド棒１に取り付ける。以上の操作は、初心者Ｂがスキー板１１を履いたまま行うことができる（取り外す場合も同様）。
【００３２】
その状態で指導者Ａがガイド棒１を持ち、指導を開始する。例えば、初心者Ｂに滑走体勢をとらせて若干前体重にさせると、初心者Ｂはゆっくりと滑走を始めるが、その動きに呼応して指導者Ａは、背面滑走しつつガイド棒１で適宜ブレーキをかけて、初心者の滑走速度を制御する（図１参照）。そして、初心者Ｂがその滑走に慣れてきたら、指導者Ａは、ガイド棒１の先端側を横方向に動かすことで、ターンを覚えさせる。また、適宜スキー板１１の開度を変更し、より高速の滑走の指導をする。
【００３３】
以上の説明は、本発明に係る滑走指導補助具のうち、スキーの滑走指導補助具に関してのものであるが、スノーボードの滑走指導補助具の場合も、支承具２として挿通口４が１つとなり、また、凹陥部１３と押止板１４の組み合わせの構成が１つとなること以外は、基本的に同様の構成のものとなる。
【００３４】
本発明をある程度詳細にその好ましい実施形態について説明してきたが、本発明は、上記実施形態に制約されるものではなく、本発明の趣旨に反しない範囲で種々の変更が可能であることは言うまでもない。特に、支承具２におけるトップ１２の押止支持手段、並びに、ガイド棒１に対して支承具２を着脱可能にするための手段は上記のもの以外にも種々考えられ、ここに掲挙し尽くせない。
【符号の説明】
【００３５】
１        ガイド棒
２        支承具
３        支持アーム
４        挿通口
５        固定ネジ
６        固定杆
７        滑り止めシート
８        軸支ボルト
１１      スキー板
１２      トップ
１３      凹陥部
１４      押止板
１５      ツメ
１６      ストッパー
１７      スプリング
２１      リング
２２      フック
２３      ハンドル
【図１】
2017192544.tif 000003
【図２】
2017192544.tif 000004
【図３】
2017192544.tif 000005
【図４】
2017192544.tif 000006
【図５】
2017192544.tif 000007
【図６】
2017192544.tif 000008
【図７】
2017192544.tif 000009
【図８】
2017192544.tif 000010